(57)【要約】【課題】回転装置による高速回転で発生する強い遠心力を高速回転状態に到達した後は低電力で維持して、その遠心力の一部を分割し動力として利用する。【解決手段】強遠心力を発生させて、その一部を分割して動力に変換して出力させる装置を強い遠心力をえるために高速回転させ、その状態を保つために真空ケース内に装備することで、書房の回転速度を保ち、空気抵抗が無に等しいので、その後は慣性運動が継続することで、供給エネルギーを押さえることが可能になる。【選択図】図１
2012229631.tif 000002
【特許請求の範囲】
【請求項１】
高速回転モーターに装着した回転円板の所定の位置から斜面状に登れる複数の誘導路を設け、各誘導路に移動可能な錘を装着し、錘の遠心力により誘導路を登り,回転円板から変移した錘の力を受け止めて動力とする手段を備えた装置を真空ケース内に装着し、始動から安定した高速回転になると、真空状態のため慣性運動状態を保つことで、供給電力を制御して省電力で回転速度を維持し、強力な遠心力を動力に変換する。
【請求項２】
請求項１の遠心力を動力に変換する動力装置を、車輪形状の回転装置に複数個一定の間隔で車輪状に配置し、かつ、遠心力を利用する動力装置の出力方向は全て正回転に成るよう設定して回転させる方式である。  
【発明の詳細な説明】
【技術分野】
【０００１】
本発明は、回転体の遠心力を動力に変換して利用する方式に関するものである。
【背景技術】
【０００２】
従来、遠心力を利用して推進力を得る方式が数件特許出願されている。出願された時系列で検索すると最初の特許出願は2003年3月に出願されたもので、特許内容は２組の回転盤にそれぞれ１つの質量を設け、正回転と逆回転させる構造であり、回転盤の速度も可変する装置である。その推力は回転速度と回転角度の位相差により２つの円盤から同一方向の遠心力により推力が得られると記載されている。
【０００３】
２番目の特許公報は、2006年2月に出願されたもので、円形のハウジング1における基準回転領域に回転体２が基準回転領域内に対して偏心して組み付けられており、その回転体に錘3が前記回転体２の回転中心からずれた点を支点にして、振り子運動自在に取り付けられている。このような構成により前記回転体２が回転する事により、その回転体２の回転中心と仮想リンク５に繋がれた錘３は遠心力の作用で、ハウジング１の内壁との距離が最も接近した地点で錘３の凸部４がその最も近接した地点の内壁に対して中心側えと押し戻す。その為、錘３の旋回軌道は回転体2に最も接近した内壁側が凹んだ形状となって、その反対方向へ推進力が発生する。回転体2が回転することにより錘3の先端が壁体6に設けられたガイド部材と接触し錘3は回転体2の中心え押さえつけられて貫通路8内に注入されている液体や圧縮空気により反対側の錘３が押し出される。回転体２に形成されているストッパー９により錘３は壁体６とは接触しないため摩擦抵抗は少ない錘３の重力がずれ遠心力と反作用の合力が一方向に作用する。ガイド部材7の形状を変えることにより遠心力と反作用の合力によりバランスは取れるため安定する。と記載されている。
【０００４】
3番目の特許出願公報には、遠心力を発生させる回転軸（6）を回転させることにより、円盤（1）の回転軸に直交する方向に遠心力を生じさせると同時に、遠心力を発生させる回転軸（６）と同一の方向に円盤（1）自体を回転させる。すなわち、遠心力を発生させる回転軸（6）と円盤（1）の回転軸は平行で回転方向を同一にする。円盤全体に加わる遠心力と円盤事態の回転による相互作用により、遠心力を発生させる回転軸（6）には回転速度を増す方向にトルクが生じる。このトルクによるエネルギーを発電機を兼ねたモーターから取り出すことを目的とした遠心力を利用する発電機である。と記載されている。
【０００５】
遠心力を利用する機器としては。遠心分離機などがあるが、実際に遠心力を動力として使用されている機器は見当たらない。そこで本発明では、遠心力の一部を取り出す手段として、水を入れた皿を回転させることで水は周縁部に集まり、更に回転速度を上げると皿の斜面をよじ登り勢いよく飛び出していく。水の代わりに球形の錘を複数入れて回転させると同様なことが生じる。また、遠心力とは異なるが富士山の斜面に球状の錘を置くと坂を転げ落ちる、この場合も球形錘は最初の地点から垂直に地球の中心に引っ張られるが斜面が邪魔をして重力の方向から外れた方向に動くしかない。遠心力も引力も錘の動きを変移させるのは変わらない。そこで錘の移動方向を変移させ、その変移力を動力として利用する。
【０００６】
遠心力の強さを知るのにスポーツ関連では、砲丸投げとハンマー投げが比較できる。何れも7.24ｋｇの錘を使用する。ハンマー投げにはピアノ線1.2ｍ程が接続されているが重力はどちらも同じである。砲丸投げでは20ｍ前後しか飛ばすことが出来ないが、ハンマー投げでは日本人の室伏選手が84ｍを超える投擲をしてオリンピックで入賞している。力は同じ程度でも遠心力を利用したハンマー投げの凄さが理解できる。
【０００７】
インターネットにより、（株）日立工機を検索すると、遠心力の原理が開示されて、遠心力の計算式が理解できる。その他（株）久保田製作所や複数の企業からも遠心分離機が販売されており、遠心分離装置はすべて同一の遠心力計算式であり、（数１）に示されている。遠心力の単位として、地球の重力加速度との比で表し「相対遠心加速度」（ＲＣＦ：Ｒｅｒａｔｉｖｅ  Ｃｅｎｔｒｉｆｕｇａｌ  Ｆｏｒｃｅ）を用います。通常”Ｇ”または”×ｇ”等をを付けて表します。
【数１】
2012229631.tif 000003
【０００８】
一般的なモーターの回転数は毎分5000回転前後である。しかし高周波モーターなどでは毎分30000回転を超えるものまだある。ここに記載するhttp://www.co.jp/calc/のサイトで遠心力の計算ができ。ＣＤ−ＲＯＭの直径は12ｃｍで半径6ｃｍである。回転36000ｒｐｍ（＝毎秒600ｒｐｓ）で計算すると約87ｋｇになる。このために軸の両側にかかるのでＣＤ−ＲＯＭは160ｋｇ以上の力で引っ張られディスクの素材ポリーカーポネートは遠心力に耐えられず全体がバラバラに壊れるとの記事がある。本発明においても高周波モーターを用いて回転数を３００００回転に設定し、半径5ｃｍ、質量2.5ｇ×4とすると、（数２）の式により503ｋｇとなる。この数字では装置が破損する恐れもあり安全な郷土が必要になる。そこで動力変換率が1割としても50ｋｇの力が得られる。
【数２】
2012229631.tif 000004
【０００９】
地上で前記の高速回転を維持するには空気抵抗が問題になる。そこでインターネットで人工衛星を検索すると、人工衛星は空気密度の高い大気圏の外側へ打ち出す必要がある。高度160ｋｍになると、宇宙速度、つまり秒速8ｋｍ以上の速度であっても、空気は目だった抵抗を示さないほど、空気が希薄になる。高度200ｋｍを超えると、空気は事実上、もはや人工衛星の運動を妨げない。ゆえに、起動は円軌道を維持できる。と記載されている。ちなみに、高度160ｋｍでは約３×10のマイナス６乗hpa、２００ｋｍでは約8.5×10のマイナス7乗hpaである。
【００１０】
地上では人工衛星の飛行空間並みの気圧を作るのは困難であるが、市販されている真空おひつがある。これは手動で気圧を下げて0.15ｈｐaまで下げられる。これは地上の高度で言えば約１４ｋｍである。高度160ｋｍ以上の低気圧を作るには、日立製作所が販売している」日立工機製冷蔵庫で真空チルドＦＷＲ−Ａ５７００（ＸＫ）がある。ｌｖａｃのスパッタイオンポンプが-10乗台に到達しているとのことです。日立の冷蔵庫（真空チルド付）のカタログに、ギネスに掲載された世界最高の真空技術と言う事で。0.00000000007気圧であり、高度160ｋｍの低気圧のケースは可能だと思われます。
【先行技術文献】
【特許文献】
【００１１】
【特許文献１】（特許文献1）特開2004−270672号公報（特許文献2）特開2006−242189号公報（特許文献3）特開2007−82386号公報
【非特許文献】
【００１２】
【非特許文献１】インターネット検索。1遠心分離機、2人工衛星、3理工学系の入門書、4大気圧。
【発明の概要】
【発明が解決しようとする課題】
【００１３】
解決しようとする課題は、錘の高速回転で得られる強力な遠心力を錘の動きを変移させることで遠心力の一部を動力として利用する。
【課題を解決するための手段】
【００１４】
この発明は、皿回しの水を錘に変えて遠心力で斜面を登る様に動きを制御し、登る力をスプリング等の反発材を介して力の一部を受けとめその力を動力にする。遠心力の公式による遠心加速度の力を利用する。公式を使う理由は、回転半径が1ｍで1000ｒｐｍの場合と、半径3ｃｍで30000ｒｐｍとではどちらが遠心力が強いかと聞かれると、躊躇なく半径1ｍのものと答えるだろう、しかし、遠心力の公式からは回転数は２乗の数値が計算式に入るので、手の平に乗るサイズのものが半径1ｍのものより25倍程度強い遠心加速度であり、ちょっと信じられない。そこで高速回転を得るには空気抵抗を極力下げる必要があり、真空ケース内に装備することで強い遠心加速度が得られる。
【発明の効果】
【００１５】
本発明は、真空ケース内に高速回転の遠心力を動力に変換する装置を装備することで、高速状態になると慣性運動が利用でき。供給電力を下げられる。その為小さな装置であるから多数連動して働かせることで強力な回転装置や飛行機などにも利用できる。
【図面の簡単な説明】
【００１６】
【図１】図1は本発明の構成を示す図である。
【図２】図2は図１に記載した遠心力による力の出力方向変換部１のの説明図である。
【図３】図３は図２とは異なる遠心力による力の方向変換部1の説明図である。
【図４】複数個の遠心力を動力変換する装置を連動させる回転装置。
【発明を実施するための形態】
【００１７】
遠心力を動力に変換して利用するには遠心力を発生させる錘が制御されて移動方向を変え、錘の移動方向の変移量が動力として利用できる。この場合高速回転が重要であり、回転速度を保つ為に真空ケース内に装着して目的が達成される。
【実施例】
【００１８】
図１は、本発明の構成図である。１は回転による遠心力の方向を変移させて動力変換する遠心力分割出力部で複数の錘を回転により強い遠心力を発生させる。錘の遠心力の方向へ移動するのを３０度から４５度移動方向を変移させてその錘の移動量に応じた力を動力に変換するものである。２は高速回転モーター、3は遠心力分割出力部１を回転させる高速回転モーター2の回転軸、４は電源部、５は電源部４が供給する電力の制御部。６は真空ケースである。
【００１９】
この構造は遠心力分割出力部1の動作原理を説明する図である。（Ａ）は斜視図で、（Ｂ）は断面図である。回転軸３で回転する皿状円板１１の斜面をワイヤー付錘１２が回転により錘に生じる遠心力で皿の斜面をよじ登る。皿状円板11にはワイヤーを通す穴があり、ワイヤー付錘11と引上板13とが接続したワイヤーの通り穴である。皿状回転板11と引上板13の間にスプリングの反発材14を介在させた構造である。保持版15は引上板13の脱落防止用である。高速回転で皿状円板が回転するとワイヤー付錘12もその速度で回転し遠心力が発生して引上板13を引上げスプリングの反発材14を強く押して皿状円板11押し上げて動力とする。
【００２０】
図3は前記図２とは異なる遠心力の力を動力に変換する他の手段である。図において、（Ｃ）は平面図で、（Ｄ）は側面図である。回転軸3に取り付けられた円板16と、円板17の間に、複数の通穴付錘１９を移動可能にする棒状の移動路18を設け、移道路の円板１６側にはスプリングの反発材20を装備する。高速回転により通穴錘19が回転してその遠心力で通穴付錘19は円板16側に移動してスプリングの反発材20を押圧し回転坂16に強い力を与える。
【００２１】
図４は本発明による回転する錘の遠心力を動力に変換する装置を利用する一例を示す図である。この錘の遠心力を動力に変換する装置を、動力があれば回転する機器の回転体の周縁部に均等な間隔で複数個取付ける。その場合すべての錘の遠心力を動力に変換して出力方向はすべて回転する方向に向けて装着する。
【産業上の利用可能性】
【００２２】
始動時の大きい電力と、真空ケース内の装置のため高速回転状態に達した後は慣性運動が主動力となり、供給電力は補助的役割でよい。それは回転力が直接他の物を動かすものではないので省電力で利用できる。それに高速回転のため大きな遠心力が得られる。その力の1/4程度が動力変換出来たとしても有効に利用できる。
【符号の説明】
【００２３】
1    遠心力の遠心加速度の方向変換部
2    等速回転モーター
３    回転軸
４    制御部
５    電源部
６    真空ケース
11    皿状回転板
12    ワイヤ付錘
１３    錘保持部
１４    スプリング反発材
１５    安定板
１６    回転板1
１７    回転板2
１８    錘移動制御部
１９    穴付錘
20    スプリング反発材    
【図１】
2012229631.tif 000005
【図２】
2012229631.tif 000006
【図３】
2012229631.tif 000007
【図４】
2012229631.tif 000008